(57)【要約】【課題】採光窓における断熱性を向上させることができ、もって防露性の向上も達成できる採光窓付きドアを提供する。【解決手段】ドア本体１に設ける開口部１３に窓枠を設ける。窓枠は、左右の縦枠としてのパネル取付け部１７ａ，１８ａと、上枠、下枠としてのパネル取付け部２０ａ，２１ａとからなる。窓枠に複層ガラスパネル２７を配置する。左右のパネル取付け部１７ａ，１８ａと、複層ガラスパネル２７の側面との間に配置されたセッティングブロック３０，３１を備える。左右のパネル取付け部１７ａ，１８ａと複層ガラスパネル２７の側面との間の空間に、断熱材３４を配置する。【選択図】図７
2018040148.tif 000002
【特許請求の範囲】
【請求項１】
窓を設けるための開口部を有するドア本体と、
前記開口部内に固定され、左右の縦枠、上枠および下枠とにより構成される窓枠と、
前記窓枠の内部にセッティングブロックを介して配置される複層ガラスパネルとを備えた採光窓付きドアにおいて、
前記縦枠と前記複層ガラスパネルの側面と両者間の前記セッティングブロックとで形成される空間に、断熱材が配置されていることを特徴とする採光窓付きドア。
【請求項２】
請求項１に記載の採光窓付きドアにおいて、
前記複層ガラスパネルの下面と下枠の上面との間に、セッティングブロック間、またはセッティングブロックと断熱材との間、もしくは断熱材間で形成された中空部を有し、
前記下枠に、前記中空部内に浸入した水を流下させる切欠きまたは孔を備えたことを特徴とする採光窓付きドア。
【請求項３】
請求項１または２に記載の採光窓付きドアにおいて、
前記複層ガラスパネルの上面と前記上枠との間に断熱材が配置されていることを特徴とする採光窓付きドア。
【発明の詳細な説明】
【技術分野】
【０００１】
本発明は、採光窓付きドアに関する。
【背景技術】
【０００２】
玄関ドア等のドアには、特許文献１に開示されているように、ドア本体に設けた開口部に採光窓を設けたものがある。この従来の採光窓付きドアにおいては、ドア本体に設けられた開口部に複層ガラスパネルを装着する窓枠を設け、窓枠の下枠上にセッティングブロック（ガラス受け具）を配置してその上に複層ガラスパネルを載せ、窓枠の左右の縦枠にもセッティングブロックを配置して複層ガラスパネルの左右の端面の位置を規制している。
【先行技術文献】
【特許文献】
【０００３】
【特許文献１】特開２０００−１０４４５９号公報
【発明の概要】
【発明が解決しようとする課題】
【０００４】
上記した従来のドアにおいては、セッティングブロックが配置されていない部分は中空部となり、ドア本体の室外側の面に意匠用部材として設けられるアルミニウム合金等の金属製押出形材の熱的変化が中空部を通して室内側に伝わり、断熱性および防露性に悪影響を与えるという問題点があった。
【０００５】
本発明は、上記問題点に鑑み、採光窓における断熱性を向上させることができ、もって防露性の向上も達成できる採光窓付きドアを提供することを目的とする。
【課題を解決するための手段】
【０００６】
本発明の採光窓付きドアは、
窓を設けるための開口部を有するドア本体と、
前記開口部内に固定され、左右の縦枠、上枠および下枠とにより構成される窓枠と、
前記窓枠の内部にセッティングブロックを介して配置される複層ガラスパネルとを備えた採光窓付きドアにおいて、
前記縦枠と前記複層ガラスパネルの側面と両者間の前記セッティングブロックとで形成される空間に、断熱材が配置されていることを特徴とする。
【０００７】
また、本発明の採光窓付きドアは、前記採光窓付きドアにおいて、
前記複層ガラスパネルの下面と下枠の上面との間に、セッティングブロック間、またはセッティングブロックと断熱材との間、もしくは断熱材間で形成された中空部を有し、
前記下枠に、前記中空部内に浸入した水を流下させる切欠きまたは孔を備えたことを特徴とする。
【０００８】
また、本発明のドアは、前記ドアにおいて、
前記複層ガラスパネルの上面と前記上枠との間に断熱材が配置されていることを特徴とする。
【発明の効果】
【０００９】
本発明においては、前記左右の縦枠と複層ガラスパネルの左右の側面との間における、セッティングブロックのみならず、断熱材を配置したので、セッティングブロックが設けられていない領域における室内外温度差による空気の対流が防止され、対流による熱の伝達が防止されるので、断熱性が向上する。また、窓枠を通しての冷気の伝達が抑制されることにより、防露性が向上する。
【００１０】
また、本発明において、下枠に、下枠から流下する水を室外側に流下させる切欠きまたは孔を備えたので、下枠における雨水等の滞留を防止することができる。
【００１１】
また、本発明において、複層ガラスパネルの上面と上枠との間にも断熱材を配置することにより、断熱性および防露性がさらに向上する。
【図面の簡単な説明】
【００１２】
【図１】本発明の一実施の形態のドア本体を室内側から見た図である。
【図２】図１のドア本体を室外側から見た図である。
【図３】図１の一部省略Ａ−Ａ拡大断面図である。
【図４】図１のＢ−Ｂ拡大断面図である。
【図５】図４の一部省略拡大断面図である。
【図６】図４の一部拡大断面図である。
【図７】本実施の形態におけるセッティングブロックと断熱材の配置を示す図である。
【図８】本実施の形態における採光窓の室外側の構成を示す斜視図である。
【図９】本実施の形態における排水経路を示す斜視図である。
【図１０】本発明の排水経路の他の例を示す斜視図である。
【発明を実施するための形態】
【００１３】
図１は本発明の一実施の形態のドア本体１を室内側から見た図、図２は室外側から見た図である。図１、図２に示すように、ドア本体１には採光用の窓１２を取付けるための開口部１３を有する。
【００１４】
ドア本体１は図３〜図５に示すように、吊元側端部材２と、戸先側端部材３と、上下の端部材４，５とで囲まれた枠と、発泡材からなる断熱パネル６と、室外側表面材７と室内側表面材８とにより構成される。すなわち、端部材２〜５および断熱パネル６を室外側表面材７と室内側表面材８とで覆い、端部材２〜５および断熱パネル６に室外側表面材７と室内側表面材８とを固着して一体化したものである。なお、吊元側端部材２内には、図５に示すように、このドア本体１を不図示のドア枠に蝶番を介して取付けるための裏板９が取付けられ、戸先側端部材３側にはカバー材１０が取付けられる。吊元側端部材２と上下の端部材４，５には断熱材２ａ，４ａ，５ａが収容されて断熱性の向上が図られている。
【００１５】
図２、図４において、１５はドア本体１の室外側に取付けられる化粧モールであり、本実施の形態においては、この化粧モール１５は、縦長の４枚のモール部材１６〜１９からなる。これらは例えば木目調の化粧シート２２（図６参照）を表面に貼り付けたものである。２０，２１はそれぞれ窓１２の複層ガラスパネル２７の室外側,の面および上下面を受ける上巾木、下巾木であり、ドア本体１の窓１２の上枠、下枠となるものである。これらの上巾木２０、下巾木２１は、それぞれパネル取付け部２０ａ，２１ａと、ドア本体１の外側の面をカバーするカバー材としての役目を果たす上板部２０ｆ，下板部２１ｆとを有する。これらのモール部材１６〜１９および巾木２０，２１はアルミニウム合金等の金属製押出形材または樹脂製の押出形材からなる。
【００１６】
図４において、２３はモール部材１６〜１９をドア本体１に取付けるためにドア本体１に固定する筒状受け具である。この筒状受け具２３は、室外側表面材７に設けた角穴および断熱パネル６に挿入し、室外側表面材７に鍔部を固着して取付けられる。２４はこの筒状受け具２３に嵌合固定する脚部を有する係止受け具である。これらの筒状受け具２３および係止受け具２４は、モール部材１６〜１９の取付けのため、それぞれドア本体１の上下方向に並べて複数個ずつ複数列設けられる。
【００１７】
モール部材１６〜１９は、図６に示すように、そのドア本体１への取付け側、すなわち内側に形成した一対の係止片２５，２６の係止爪２５ａ，２６ａで係止受け具２４を挟み、係止受け具２４に係止爪２５ａ，２６ａを弾発的に係止させることにより、ドア本体１の室外側表面材７に固定される。
【００１８】
図５に示すように、モール部材１７，１８は、その一部が窓１２の枠部を兼ねている。すなわち、モール部材１７，１８にはそれぞれ窓の複層ガラスパネル２７を取付けるための縦枠としての役目を果たすパネル取付け部１７ａ，１８ａが形成されている。各取付け部１７ａ，１８ａは、それぞれ、断熱性の高い複層ガラスパネル２７の室外側の面を当てるビート１７ｄ，１８ｄを設けたパネル外面受け部１７ｂ，１８ｂを備える。また、各パネル取付け部１７ａ，１８ａには、それぞれ、パネルの側面を受けるパネル側面受け部１７ｃ，１８ｃを有する。
【００１９】
上下の巾木２０，２１の各パネル取付け部２０ａ，２１ａにはそれぞれ複層ガラスパネル２７の室外側の面を受けるビート２０ｇ，２１ｇを設けたパネル外面受け部２０ｂ，２１ｂと、複層ガラスパネル２７の上面、下面をそれぞれ受けるパネル上面受け部２０ｃ、パネル下面受け部２１ｃとを有する。
【００２０】
モール部材１７，１８のパネル外面受け部１７ｂ，１８ｂとパネル側面受け部１７ｃ，１８ｃは、ドア本体１に設けられた開口部１３への挿入を可能とするため、室内側に突出した上下部分が切り欠かれている。
【００２１】
図３に示すように、上下の巾木２０，２１のパネル上面受け部２０ｃ、パネル下面受け部２１ｃにはタッピングホール２０ｅ，２１ｅが形成されている。図２に示すように、上下の巾木２０，２１の室外側の左右の両端部２０ｄ，２１ｄは、左右のモール部材１７，１８の取付け部１７ａ，１８ａにより覆われている。モール部材１７，１８と巾木２０，２１との結合は、モール部材１７，１８のパネル側面受け部１７ｃ，１８ｃに設けた不図示の孔に、図５に示すタッピングねじ２８，２９を挿通し、これらのタッピングねじ２８，２９を図３に示したタッピングホール２０ｅ，２１ｅに螺入し締結することにより行なう。
【００２２】
図７は複層ガラスパネル２７を取付ける窓枠、すなわちモール部材１７，１８のパネル取付け部１７ａ，１８ａおよび巾木２０，２１のパネル取付け部２０ａ，２１ａにおける複層ガラスパネル２７の配置のためのセッティングブロックおよび断熱性向上のための断熱材の配置を示す。
【００２３】
図７に示すように、モール部材１７，１８のパネル側面受け部１７ｃ，１８ｃにそれぞれセッティングブロック３０，３１を配置すると共に、下巾木２１のパネル下面受け部２１ｃ上にセッティングブロック３２を配置する。これらのセッティングブロック３０，３１，３２は例えば塩化ビニル樹脂等の樹脂製のブロックにより構成される。また、上巾木２０のパネル上面受け部２０ｃと複層ガラスパネル２７の上面との間に発泡材などでなる断熱材３３を介在させる。
【００２４】
左右のセッティングブロック３０，３１は複数個ずつ上下に間隔を有して配置する。また、縦枠としてのパネル取付け部１７ａ，１８ａのパネル側面受け部１７ｃ，１８ｃと、複層ガラスパネル２７の側面と、両者間のセッティングブロック３４とで形成される空間に、断熱材３４を配置する。これらのセッティングブロック３０〜３２および断熱材３３，３４のパネル側面受け部１７ｃ，１８ｃやパネル上面受け部２０ｃあるいはパネル下面受け部２１ｃへの固定は、両面テープや接着あるいはねじやリベット等の固定具により行なう。
【００２５】
上述のように、上下の巾木２０，２１をモール部材１７，１８と一体化すると共に、セッティングブロック３０〜３２や断熱材３３，３４を配置した状態でドア本体１にモール部材１７，１８を図６に示した固定手段によって固定することにより、上下の巾木２０，２１がモール部材１７，１８と共にドア本体１に固定される。
【００２６】
このようにしてモール部材１７，１８を巾木２０，２１と共にドア本体１の室外側表面材７に固定すると共に、モール部材１６，１９もドア本体１の室外側表面材７に固定した状態で、モール部材１６〜１９側を下にしてセットする。すなわち、モール部材１７，１８のパネル側面受け部１７ｃ，１８ｃと、上巾木２０のパネル上面受け部２０ｃと、パネル下面受け部２１ｃで囲まれた領域に複層ガラスパネル２７を入れ、複層ガラスパネル２７の室外側の面をパネル外面受け部１７ｂ，１８ｂ，２０ｂ，２１ｂに設けたビート１７ｄ，１８ｄ，２０ｇ，２１ｇ上に載せる。
【００２７】
このようにドア本体１の開口部１３内に複層ガラスパネル２７を配置した状態としておき、図５に示すように、室内側から樹脂製押出形材でなる左右の額縁３５，３６をモール部材１７，１８のパネル側面受け部１７ｃ，１８ｃの室内側の面に当てて結合ねじ４０，４１により結合する。また、図３に示すように、樹脂製押出形材でなる上下の額縁４３，４４を巾木２０，２１のパネル上面受け部２０ｃ、パネル下面受け部２１ｃの室内側の面にそれぞれ当てて結合ねじ４５，４６により結合する。４８，４９および５０，５１はそれぞれ額縁３５，３６，４３，４４に被せる押出形材でなる化粧用のカバー材である。
【００２８】
上述のように、本実施の形態においては、採光窓１２の左右の縦枠として設けられたパネル取付け部１７ａ，１８ａと複層ガラスパネル２７の左右の側面との間におけるセッティングブロック３０，３１の欠除部に断熱材３４が配置したので、セッティングブロック３０，３１の欠除部である中空部が断熱材３４により閉塞され、セッティングブロック欠除部における室内外温度差による対流が防止され、断熱性が向上する。また、窓枠を通しての冷気の伝達が抑制されることにより、防露性が向上する。
【００２９】
本実施の形態においては、上枠として設けられたパネル取付け部２０ａと複層ガラスパネル２７の上面との間にも断熱材３３を設けたので、複層ガラスパネル２７の上面部における断熱性も向上し、これに伴い、防露性も向上する。
【００３０】
次に本実施の形態で設けた窓枠下部における排水経路について説明する。前述のように、下巾木２１はドア本体１の室外側の面を覆う下板部２１ｆを一体に有する。図７に示す実施の形態においては、図８にも示すように、下枠して機能するパネル下面受け部２１ｃと複層ガラスパネル２７の下面との間に設けるセッティングブロック３２，３２の間、またはセッティングブロック３２とモール部材１７，１８のパネル側面受け部１７ｃ，１８ｃの間に中空部３８が存在し、これが複層ガラスパネル２７の室外側の面に沿って流下する雨水等がパネル下面受け部２１ｃに流下した際における排水経路の一部となる。
【００３１】
図８に示すように、下巾木２１の下板部２１ｆの左右に、パネル下面受け部２１ｃ上に流下する水を下巾木２１の室外側に流下させる切欠き２１ｈを設ける。この切欠き２１ｈは、下板部２１ｆの左右の端部から横方向に切込みを入れた形状で設けられる。これらの切欠き２１ｈは、モール部材１７，１８のパネル取付け部１７ａ，１８ａにより覆われた範囲で設けることにより、外観の低下を防ぐ。
【００３２】
図９は図８に示した構成における排水経路３９を示しており、下巾木２１のパネル下面受け部２１ｃ上に浸入した雨水や結露水等の水は、下板部２１ｆに設けた切欠き２１ｈを通して下板部２１ｆの室外側の面に沿ってドア本体１の下に流下する。
【００３３】
このような排水経路を設けることにより、下巾木２１のパネル受け部２１ｃ上等における雨水等の滞留を防止することができる。
【００３４】
図８、図９に示した例においては、排水のために切欠き２１ｈを設けたが、この切欠き２１ｈの変わりに孔を設けてもよい。また、図１０に示すように、セッティングブロック３２，３２の間や、セッティングブロック３２とパネル側面受け部１７ｃ，１８ｃとの間に断熱材３４Ｘを設けてもよく、このように断熱材３４Ｘを設ける場合、セッティングブロック３２と断熱材３４Ｘとの間に設けた隙間３８、もしくは複数の断熱材３４Ｘ間に排水用の中空部を構成してもよい。
【００３５】
また、上記実施の形態においては、モール部材１７，１８の一部で窓枠の一部が構成されると共に、上巾木２０と下巾木２１によりそれぞれ上枠、下枠が構成される例を示したが、複層ガラスパネル２７の四周を枠で囲い、下枠とドア本体１を覆う下板部とが別部材で構成される場合は、下枠に直接水抜き孔あるいは切欠きを設けることも可能である。
【００３６】
以上本発明を実施の形態により説明したが、本発明を実施する場合、本発明の要旨を逸脱しない範囲において、構成部材やその組み合わせについて、種々の変更、付加が可能である。
【符号の説明】
【００３７】
１  ドア本体
１２  採光用の窓
１５  化粧モール
１６〜１９  モール部材
１７ａ  パネル取付け部（縦枠）
１８ａ  パネル取付け部（縦枠）
２０  上巾木
２０ａ  パネル取付け部（上枠）
２１  下巾木
２１ａ  パネル取付け部（下枠）
２１ｈ  切欠き
２７  複層ガラスパネル
３０〜３２  セッティングブロック
３３，３４，３４Ｘ  断熱材
３５，３６，４３，４４  額縁
３８  中空部
３９  排水経路
【図１】
2018040148.tif 000003
【図２】
2018040148.tif 000004
【図３】
2018040148.tif 000005
【図４】
2018040148.tif 000006
【図５】
2018040148.tif 000007
【図６】
2018040148.tif 000008
【図７】
2018040148.tif 000009
【図８】
2018040148.tif 000010
【図９】
2018040148.tif 000011
【図１０】
2018040148.tif 000012